【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
復帰プリチャージサブ回路と、蓄積容量を有する走査補償サブ回路と、駆動サブ回路と、発光制御サブ回路と、を含む画素回路であって、
前記発光制御サブ回路は、発光素子を制御して発光するように配置され、
前記復帰プリチャージサブ回路は、前記走査補償サブ回路と前記発光制御サブ回路に接続され、復帰信号に応じて前記発光制御サブ回路をリセットし、走査信号に応じて前記走査補償サブ回路における前記蓄積容量の第二端を復位することに用いられ、
前記走査補償サブ回路は、さらに前記駆動サブ回路と前記発光制御サブ回路に接続され、走査信号に応じて前記走査補償サブ回路における前記蓄積容量を充電することで、前記駆動サブ回路を補償することに用いられ、
前記駆動サブ回路は、さらに前記発光制御サブ回路に接続され、前記発光制御サブ回路を介して前記発光素子へ駆動電流を提供することに用いられ、
前記発光制御サブ回路は、さらに前記発光素子に接続され、発光制御信号に応じて前記発光素子を発光するように制御することに用いられる
画素回路。
【請求項２】
前記走査補償サブ回路は、第一トランジスタと、第二トランジスタと、第四トランジスタと、をさらに含み、
前記第一トランジスタの制御極が走査信号を受信し、第一極が前記蓄積容量の第一端に接続され、第二極がデータ信号を受信し、
前記第二トランジスタの制御極が走査信号を受信し、第一極が前記駆動サブ回路と前記発光制御サブ回路に接続され、第二極が前記第四トランジスタの第二極と復帰プリチャージサブ回路に接続され、
前記第四トランジスタの制御極が走査信号を受信し、第一極が前記蓄積容量の第二端と前記駆動サブ回路に接続され、第二極がさらに前記復帰プリチャージサブ回路に接続され、
前記蓄積容量の第一端がさらに前記発光制御サブ回路に接続され、第二端がさらに前記駆動サブ回路に接続され、前記蓄積容量の第一端を第一ノードとし、第二端を第二ノードとする
請求項1に記載の画素回路。
【請求項３】
前記駆動サブ回路は、第三トランジスタを含み、前記第三トランジスタの制御極が前記蓄積容量の第二端に接続され、第一極はそれぞれ前記走査補償サブ回路と前記発光制御サブ回路に接続され、第二極が第一電圧を受信する
請求項1に記載の画素回路。
【請求項４】
前記発光制御サブ回路は、第五トランジスタと第六トランジスタを含み、
前記第五トランジスタの制御極が第一極に接続されるとともに、前記発光制御信号を受信し、第二極が前記蓄積容量の第一級に接続され、
前記第六トランジスタの制御極が前記発光制御信号を受信し、第一極が前記復帰プリチャージサブ回路に接続されるとともに、さらに前記発光素子に接続され、第二極はそれぞれ前記駆動サブ回路と、前記走査補償サブ回路に接続される
請求項1に記載の画素回路。
【請求項５】
前記復帰プリチャージサブ回路は、第七トランジスタと第八トランジスタを含み、
前記第七トランジスタの制御極が第一極に接続されるとともに、復帰信号を受信し、第二極が前記走査補償サブ回路に接続され、
前記第八トランジスタの制御極が第一極に接続されるとともに、復帰信号を受信し、第二極が前記発光制御サブ回路に接続されるとともに、さらに前記発光素子に接続される
請求項1に記載の画素回路。
【請求項６】
前記駆動サブ回路は、第三トランジスタを含み、前記第三トランジスタの制御極が前記第二ノードに接続され、第一極はそれぞれ前記第二トランジスタの第一極と前記発光制御サブ回路に接続され、第二極が第一電圧を受信する
請求項2に記載の画素回路。
【請求項７】
前記発光制御サブ回路は、第五トランジスタと第六トランジスタを含み、
前記第五トランジスタの制御極が第一極に接続されるとともに、前記発光制御信号を受信し、第二極が前記第一ノードに接続され、
前記第六トランジスタの制御極が前記発光制御信号を受信し、第一極が前記復帰プリチャージサブ回路に接続されるとともに、さらに前記発光素子に接続され、第二極はそれぞれ前記第三トランジスタの第一極と、前記第二トランジスタの第一極に接続される
請求項6に記載の画素回路。
【請求項８】
前記復帰プリチャージサブ回路は、第七トランジスタと第八トランジスタを含み、
前記第七トランジスタの制御極が第一極に接続されるとともに、復帰信号を受信し、第二極が前記第四トランジスタの第二極に接続され、
前記第八トランジスタの制御極が第一極に接続されるとともに、復帰信号を受信し、第二極が前記第六トランジスタの第一極に接続されるとともに、さらに前記発光素子に接続される
請求項7に記載の画素回路。
【請求項９】
複数の画素回路と発光素子を含み、
前記画素回路は、請求項1に記載の画素回路を用いて前記発光素子が発光するよう駆動する
表示装置。
【請求項１０】
前記発光素子は、有機発光ダイオード又は量子ドット発光ダイオードである
請求項9に記載の表示装置。
【請求項１１】
画素回路は、復帰プリチャージサブ回路と、蓄積容量を有する走査補償サブ回路と、駆動サブ回路と、発光制御サブ回路と、を含み、
前記発光制御サブ回路は、発光素子を制御して発光するように配置され、
前記復帰プリチャージサブ回路は、前記走査補償サブ回路と前記発光制御サブ回路に接続され、復帰信号に応じて前記発光制御サブ回路をリセットし、走査信号に応じて前記走査補償サブ回路における前記蓄積容量の第二端を復位することに用いられ、
前記走査補償サブ回路は、さらに前記駆動サブ回路と前記発光制御サブ回路に接続され、走査信号に応じて前記走査補償サブ回路における前記蓄積容量を充電することで、前記駆動サブ回路を補償することに用いられ、
前記駆動サブ回路は、さらに前記発光制御サブ回路に接続され、前記発光制御サブ回路を介して前記発光素子へ駆動電流を提供することに用いられ、
前記発光制御サブ回路は、さらに前記発光素子に接続され、発光制御信号に応じて前記発光素子を発光するように制御することに用いられ、
駆動方法は、
前記復帰信号と前記走査信号に応じて、前記復帰プリチャージサブ回路を復帰させるとともに、前記走査補償サブ回路における前記蓄積容量をプリチャージする復帰プリチャージ段階と、
前記走査信号に応じて、前記走査補償サブ回路における前記蓄積容量を充電することで、前記駆動サブ回路を補償する充電補償段階と、
前記発光制御信号とデータ信号に応じて、前記発光素子が発光するように駆動させる発光駆動段階と、
を含む画素回路の駆動方法。
【請求項１２】
前記走査補償サブ回路は、第一トランジスタと、第二トランジスタと、第四トランジスタと、蓄積容量と、をさらに含み、前記蓄積容量の第一端を第一ノードとし、第二端を第二ノードとし、
前記駆動サブ回路は、第三トランジスタを含み、
前記発光制御サブ回路は、第五トランジスタと第六トランジスタを含み、
前記復帰プリチャージサブ回路は、第七トランジスタと第八トランジスタを含み、
前記復帰プリチャージ段階は、第一段階と第二段階を含み、前記第一段階において、前記復帰信号が有効で、前記第七トランジスタと前記第八トランジスタが導通され、前記第二段階において、前記復帰信号と前記走査信号が有効で、前記第一トランジスタと、前記第二トランジスタと、前記第四トランジスタと、が導通され、前記第一ノードに前記データ信号の電圧をプリチャージし、前記第二ノードの電位をローレベルとし、
前記充電補償段階では、前記走査信号が有効で、前記第一トランジスタと、前記第二トランジスタと、前記第四トランジスタと、が導通されることで、前記第三トランジスタの制御極が第一極に電気的に接続されるが、前記第一ノードの電位は変化しないとともに、前記第三トランジスタを経由して前記第二ノードの電圧を充電し、
前記発光駆動段階では、前記発光制御信号が有効で、前記第五トランジスタと前記第六トランジスタが導通され、前記第一ノードと前記第二ノードとの間の差圧は、前記充電補償段階が終了した時の前記第一ノードと前記第二ノードとの差圧に保持される
請求項11に記載の駆動方法。
【請求項１３】
前記発光駆動段階において、前記第五トランジスタと前記第六トランジスタが導通され、前記第二トランジスタと第四トランジスタが遮断され、前記第一ノードの電位が前記発光制御信号の電圧に変わり、前記第二ノードがフローティングし、前記発光素子の電流はK(VEM-Vdata)2、and   K=WμCOX /2Lであり、
VEM は、前記発光制御信号の電圧で、Vdataは、前記データ信号の電圧で、W/Lは、第三トランジスタの横縦比、Coxは、第三トランジスタの単位面積あたりのゲート酸化層容量、μは、第三トランジスタのキャリア移動度である
請求項12に記載の駆動方法。
【請求項１４】
前記復帰プリチャージ段階では、前記第一段階と前記第二段階の持続時間が同一である。
請求項12に記載の駆動方法。
【手続補正２】
【補正対象書類名】図面
【補正対象項目名】図１
【補正方法】変更
【補正の内容】
【図１】
2020531880.tif 000001